(57)【要約】  【課題】  映像受信装置においてチャンネルを設定するためには、利用者は何回もキー操作を行う必要がある。また、利用者は、チャンネル設定を行うつもりで、キー操作を行っているにも関わらず、いちいち確認画面が出力され、それだけさらにキー操作が必要となり、利用者の利便性に劣るという課題が存在する。さらに、確認画面でのキー操作を誤ると、再度チャンネル設定を最初から行わなければならなかった。  【解決手段】  本発明の映像受信装置又は映像受信装置の周波数帯設定方法によって、周波数帯設定時における利用者の操作を最適化した。具体的には、周波数帯検索の完了後に、周波数帯を所定の識別子に割り当てを行うか否かの確認をするための表示しないため、利用者が行う操作を減らし、簡便な操作方法にて周波数帯の設定作業を行うことができる。【選択図】            図２
2007036853.tif 000002
【特許請求の範囲】
【請求項１】
設定メニューを表示する設定メニュー表示部と、
前記設定メニュー表示部での設定メニューの選択に応じて所定の検索ルールに従い受信可能な周波数帯の検索を行う周波数帯検索部と、
前記周波数帯検索部にて受信可能であるとして検索された周波数帯を、利用者がチャンネルを選択するために利用する所定の識別子に割り当てる受信可能周波数帯割り当て部と、
前記検索ルールに基づく検索の完了に応じて前記割り当て結果を確定的に記憶するか否かの確認をするための表示を行わずに、割り当て結果を確定的に記憶する記憶部と、
を有する映像受信装置。
【請求項２】
前記設定メニュー表示部は、
設定メニューの表示を階層的に管理するメニュー階層管理手段と、
前記検索ルールに基づく検索の完了に応じて、この検索を選択するために表示された設定メニュー階層の上位階層の設定メニューを表示する上位階層メニュー表示手段と、
を有する請求項１に記載の映像受信装置。
【請求項３】
前記設定メニュー表示部は、前記検索ルールに基づく検索の中断に応じて、この検索を選択するために表示された設定メニューを再度表示する同一メニュー再表示手段を有する請求項１又は２に記載の映像受信装置。
【請求項４】
前記メニュー階層管理手段が管理する設定メニュー階層は、
第一階層が、映像調整メニュー、音声調整メニュー、省エネ設定メニュー、本体設定メニューを含む階層であり、
第二階層が、本体設定メニュー配下に地域設定メニュー、チャンネル設定メニュー、アンテナ設定メニュー、スピーカー設定メニューを含む階層であり、
第三階層がチャンネル設定メニュー配下に地上アナログ設定メニュー、地上デジタル設定メニュー、ＢＳデジタル設定メニュー、ＣＳデジタル設定メニューを含む階層であり、
第四階層が地上アナログ設定メニュー配下に自動設定ボタン、追加設定ボタン、地域番号設定ボタン、個別設定ボタンを有し、地上デジタル設定メニュー配下に自動設定ボタン、追加設定ボタン、個別設定ボタンを有し、ＢＳデジタル設定メニュー配下に個別設定ボタンを有し、ＣＳデジタル設定メニュー配下に個別設定ボタンを有し、前記周波数帯検索部により検索を実行するための設定メニューの選択は、前記第四階層の自動設定ボタンの選択である請求項２又は３に記載の映像受信装置。
【請求項５】
前記上位階層メニュー表示手段が表示する上位階層の設定メニューは、前記第三階層の設定メニューである請求項４に記載の映像受信装置。
【請求項６】
設定メニューを表示する設定メニュー表示ステップと、
前記設定メニュー表示ステップで表示される設定メニューの選択に応じて所定の検索ルールに従い受信可能な周波数帯の検索を行う周波数帯検索ステップと、
前記周波数帯検索ステップにて受信可能であるとして検索された周波数帯を、利用者がチャンネルを選択するために利用する所定の識別子に割り当てる受信可能周波数帯割り当てステップと、
前記検索ルールに基づく検索の完了に応じて、前記割り当て結果を確定的に記憶するか否かの確認をするための表示を行わずに、割り当て結果を確定的に記憶する記憶ステップと、
を有する映像受信装置のチャンネル設定方法。
【請求項７】
前記検索ルールに基づく検索の完了に応じて、この検索を選択するために表示された設定メニュー階層の上位階層の設定メニューを表示する上位階層メニュー表示ステップをさらに有する請求項６に記載の映像受信装置のチャンネル設定方法。
【請求項８】
前記検索ルールに基づく検索の中断に応じて、この検索を選択するために表示された設定メニューを再度表示する同一メニュー再表示ステップをさらに有する請求項６又は７に記載の映像受信装置のチャンネル設定方法。
【発明の詳細な説明】
【技術分野】
【０００１】
本発明は、地上デジタル放送や地上アナログ放送を受信する装置の技術に関する。
【背景技術】
【０００２】
映像受信装置において、利用者が見たいチャンネルを選択するためには、受信可能な放送波の周波数帯ごとにその周波数帯と映像受信装置が備えている識別子とに関連付けが行われていなければならない。利用者がチャンネルを選択するという動作は、利用者が一の識別子を選択し、その識別子に関連付けられている周波数帯の放送波を受信させるという動作に他ならない。また、受信可能な放送波の周波数帯は各地域で異なるため、映像受信装置を初めて設置した場合には、必ず受信可能な周波数帯と映像受信装置が備えている識別子との関連付け、すなわちチャンネル設定が必要となる。
【０００３】
現在、受信可能な放送波には地上アナログ信号、地上デジタル信号、ＢＳデジタル信号、ＣＳデジタル信号などが存在する。ＢＳデジタル信号とＣＳデジタル信号については、信号自体にチャンネル情報を含むため、チャンネル設定は必要ないが、地上アナログ信号と地上デジタル信号についてはチャンネル設定が必要である。しかし、多チャンネル化している現在にとって、チャンネル設定の方法は煩雑であり、分かり難くなっている。さらに、チャンネル設定は利用者に委ねられているのが常である。そのため、利用者に如何に分かりやすく、少ない作業でチャンネル設定を可能とするかが課題となっている。
【０００４】
そこで、特許文献１では、受信中のチャンネルを映像受信装置が備えている識別子と関連付けるため、チャンネルを設定する識別子を選択した状態で、リモコンなどの入力装置のボタンの押下時間が既定秒以上となるように押すことで、チャンネルの変更を行う方法が開示されている。なお、前記特許文献１では、利用者が誤ったキー操作にてチャンネル設定の変更を行うことがないように、チャンネル設定の変更を行う場合には確認画面を表示することとしている。図１３に従来技術におけるチャンネル設定方法の処理フローの例を示す。従来技術では、設定メニューが表示され（Ｓ１３０１）、表示された設定メニューから周波数帯検索開始ボタンを選択することにより検索を行い（Ｓ１３０２）、検索が完了する（Ｓ１３０３）と、検索結果を所定の識別子に割り当てる（Ｓ１３０４）。このとき、割り当て結果を不揮発性メモリなどに記憶する（Ｓ１３０６）前に、図１４に示すような「登録しますか？」という画面が表示される（Ｓ１３０５）。
【特許文献１】特開２００３−１４３４９７
【発明の開示】
【発明が解決しようとする課題】
【０００５】
しかし、特許文献１の技術を用いた場合であっても、チャンネルを設定するためには、やはり何回ものキー操作を行う必要がある。利用者は、チャンネル設定を行うつもりで、キー操作を行っているにも関わらず、いちいち確認画面に対するキー操作が必要となり、利用者の利便性に劣るという課題が存在する。さらに、確認画面でのキー操作を誤ると、再度チャンネル設定を最初から行わなければならなかった。
【課題を解決するための手段】
【０００６】
上記課題を解決するために、第一発明では、設定メニューを表示する設定メニュー表示部と、前記設定メニュー表示部での設定メニューの選択に応じて所定の検索ルールに従い受信可能な周波数帯の検索を行う周波数帯検索部と、前記周波数帯検索部にて受信可能であるとして検索された周波数帯を、利用者がチャンネルを選択するために利用する所定の識別子に割り当てる受信可能周波数帯割り当て部と、前記検索ルールに基づく検索の完了に応じて前記割り当て結果を確定的に記憶するか否かの確認をするための表示を行わずに、割り当て結果を確定的に記憶する記憶部と、を有する映像受信装置を提案する。
【０００７】
第二発明では、第一発明に記載の映像受信装置であって、前記設定メニュー表示部は、設定メニューの表示を階層的に管理するメニュー階層管理手段と、前記検索ルールに基づく検索の完了に応じて、この検索を選択するために表示された設定メニュー階層の上位階層の設定メニューを表示する上位階層メニュー表示手段と、を有する映像受信装置を提案する。
【０００８】
第三発明では、第一発明又は第二発明に記載の映像受信装置であって、前記設定メニュー表示部は、前記検索ルールに基づく検索の中断に応じて、この検索を選択するために表示された設定メニューを再度表示する同一メニュー再表示手段を有する映像受信装置を提案する。
【０００９】
第四発明では、第二発明又は第三発明に記載の映像受信装置であって、前記メニュー階層管理手段が管理する設定メニュー階層は、第一階層が、映像調整メニュー、音声調整メニュー、省エネ設定メニュー、本体設定メニューを含む階層であり、第二階層が、本体設定メニュー配下に地域設定メニュー、チャンネル設定メニュー、アンテナ設定メニュー、スピーカー設定メニューを含む階層であり、第三階層がチャンネル設定メニュー配下に地上アナログ設定メニュー、地上デジタル設定メニュー、ＢＳデジタル設定メニュー、ＣＳデジタル設定メニューを含む階層であり、第四階層が地上アナログ設定メニュー配下に自動設定ボタン、追加設定ボタン、地域番号設定ボタン、個別設定ボタンを有し、地上デジタル設定メニュー配下に自動設定ボタン、追加設定ボタン、個別設定ボタンを有し、ＢＳデジタル設定メニュー配下に個別設定ボタンを有し、ＣＳデジタル設定メニュー配下に個別設定ボタンを有し、前記周波数帯検索部により検索を実行するための設定メニューの選択は、前記第四階層の自動設定ボタンの選択である映像受信装置を提案する。
【００１０】
第五発明では、第四発明に記載の映像受信装置であって、前記上位階層メニュー表示手段が表示する上位階層の設定メニューは、前記第三階層の設定メニューである映像受信装置を提案する。
【００１１】
第六発明では、チャンネル設定方法であって、設定メニューを表示する設定メニュー表示ステップと、前記設定メニュー表示ステップで表示される設定メニューの選択に応じて所定の検索ルールに従い受信可能な周波数帯の検索を行う周波数帯検索ステップと、前記周波数帯検索ステップにて受信可能であるとして検索された周波数帯を、利用者がチャンネルを選択するために利用する所定の識別子に割り当てる受信可能周波数帯割り当てステップと、前記検索ルールに基づく検索の完了に応じて、前記割り当て結果を確定的に記憶するか否かの確認をするための表示を行わずに、割り当て結果を確定的に記憶する記憶ステップと、を有する映像受信装置の周波数帯設定方法を提案する。
【００１２】
第七発明では、第六発明に記載の映像受信装置のチャンネル設定方法であって、前記検索ルールに基づく検索の完了に応じて、この検索を選択するために表示された設定メニュー階層の上位階層の設定メニューを表示する上位階層メニュー表示ステップをさらに有する映像受信装置のチャンネル設定方法を提案する。
【００１３】
第八発明では、第六発明または第七発明に記載の映像受信装置のチャンネル設定方法であって、前記検索ルールに基づく検索の中断に応じて、この検索を選択するために表示された設定メニューを再度表示する同一メニュー再表示ステップをさらに有する映像受信装置のチャンネル設定方法を提案する。
【発明の効果】
【００１４】
以上のような構成をとる本発明の映像受信装置、又は映像受信装置の周波数帯設定方法によって、周波数帯設定時における利用者の操作性の向上を実現した。具体的には、周波数帯検索の完了後に、周波数帯を所定の識別子に割り当てを行うか否かの確認をするための表示を行わないため、利用者が行うべきキー操作を減らし、簡便な操作方法にて周波数帯の設定作業を行うことができる。また、周波数帯検索の完了後には、周波数帯検索を選択するために表示された設定メニュー階層の上位階層を表示し、周波数帯検索が中断した場合には、周波数帯検索を選択するために表示された設定メニュー階層と同じ階層を表示することにより、周波数帯検索後においても、利用者が次の操作を行いやすい状態へと移行することで、利用者の周波数帯の設定作業における負担を低減することができる。さらに、確認画面でのキー操作を誤り、再度チャンネル設定を最初から行わなければならないという事態の発生を無くすことができる。
【発明を実施するための最良の形態】
【００１５】
以下に、図を用いて本発明の実施の形態を説明する。なお、本発明はこれら実施の形態に何ら限定されるものではなく、その要旨を逸脱しない範囲において、種々なる態様で実施しうる。なお、実施形態１は主に請求項１、６について説明する。実施形態２は主に請求項２、７について説明する。実施形態３は主に請求項３、８について説明する。実施形態４は主に請求項４、５について説明する。
【００１６】
≪実施形態１≫  （実施形態１の概念）図１は、本実施形態の映像受信装置の一例を説明するための図面である。以下、本実施形態の映像受信装置の構成を説明しつつ、周波数帯の設定のための具体的処理について説明する。
【００１７】
（実施形態１の構成）図１に示すのは、本実施形態の映像受信装置の機能ブロック図の一例を表す図である。この図１にあるように、本実施形態の映像受信装置（０１００）は、「設定メニュー表示部」（０１０１）と、「周波数帯検索部」（０１０２）と、「受信可能周波数帯割り当て部」（０１０３）と、「記憶部」（０１０４）と、を有する。
【００１８】
（実施形態１の構成の説明）「設定メニュー表示部」（０１０１）は、設定メニューを表示する。設定メニュー表示部は、ブラウン管ディスプレイ、液晶ディスプレイ、プラズマディスプレイ等、設定メニューを表示できるものであればよい。「設定メニュー」とは、周波数帯の検索を行うために用意された項目などを含み、利用者は設定メニュー表示部に表示されたこれらの項目を選択することで、周波数帯の検索や、映像受信装置の各種設定を行うことができる。周波数帯検索を行う場合には、複数の放送波が受信可能な映像受信装置であれば、いずれの放送波の周波数帯検索を行うのかを項目の中から選択する。放送波の種類には、例えば、地上アナログ信号、地上デジタル信号など、ＢＳデジタル信号、ＣＳデジタル信号などが考えられる。また、一つの放送波に周波数帯検索方法が複数ある場合に、いずれの周波数帯検索方法にて検索を行うのかを選択する。周波数帯検索方法には、例えば、映像受信装置が受信可能な周波数帯を順次自動で検索していく方法、利用者が地域番号により地域を特定し、その地域に対応した周波数帯を検索する方法、受信する周波数帯の周波数を利用者が手作業で調べることによって個別に周波数帯を検索する方法などが考えられる。設定メニュー表示部では、複数の項目の組み合わせによって周波数帯検索のための各種の設定を行うために、複数の項目を組み合わせた設定メニューを表示する必要がある。
【００１９】
「周波数帯検索部」（０１０２）は、前記設定メニュー表示部での設定メニューの選択に応じて所定の検索ルールに従い受信可能な周波数帯の検索を行う。「設定メニューの選択に応じて」とは、受信可能な放送波の種類や、周波数帯検索方法に応じて検索が行われることをいう。「所定の検索ルール」とは、前記メニュー表示部での設定メニューの選択に応じて定められた、周波数帯を検索するためのルールである。例えば、前記設定メニューの選択にて、周波数帯を検索する放送波を地上アナログ信号、検索方法を映像受信装置が受信可能な周波数帯を順次自動で検索する方法を選択した場合には、映像受信装置は、地上アナログ信号の受信可能な周波数帯を順次自動で検索していく。「受信可能な周波数帯の検索」とは、特定の周波数帯から受信する放送波の周波数強度を測定し、周波数強度が一定値以上となる周波数帯を受信可能な周波数帯として検出することをいう。
【００２０】
「受信可能周波数帯割り当て部」（０１０３）とは、前記周波数帯検索部にて受信可能であるとして検索された周波数帯を、利用者がチャンネルを選択するために利用する所定の識別子に割り当てる機能を有する。「識別子」とは、映像受信装置に備えられており、識別子を選択することによって、識別子に割り当てられた周波数帯が選択される。識別子の選択は、利用者が映像受信装置のリモコン等を用いて行うことができる。例えば、識別子は１から１２までの識別子番号で表され、利用者は、リモコン等に備えている１から１２のボタンの内、いずれか一の識別子番号のボタンを選択することによって、識別子番号に割り当てられた周波数帯が選択される。「所定の識別子に割り当てる」とは、図１６に示すように前記周波数帯検索部にて受信可能であるとして検索された周波数帯と前記識別子とをテーブルなどを利用して関連付けを行い、揮発性メモリ等に一時的に保存することをいう。割り当てる方法としては、例えば、前述のように映像受信装置が１から１２の識別子番号を備える場合には、図１６（ａ）に示すように、受信可能な周波数帯の内、低い周波数帯から順に識別子番号に割り当てる方法や、図１６（ｂ）に示すように周波数帯が有するチャンネル番号と識別子番号が一致する場合には優先的に識別子に周波数帯を割り当て、割り当てられなかった識別子にはまだ割り当てをしていない周波数帯の内、低い周波数帯から順に割り当てていく方法などが考えられる。
【００２１】
「記憶部」（０１０４）とは、前記検索ルールに基づく検索の完了に応じて前記割り当て結果を確定的に記憶するか否かの確認をするための表示を行わずに、割り当て結果を確定的に記憶する機能を有する。「検索の完了」とは、検索が正常に終了した場合をいう。すなわち、検索を途中で終了した場合には、検索の完了とはならない。検索が正常に終了した場合とは、周波数帯検索部が全ての受信可能な周波数帯を検索した後であって、記憶部において割り当て結果を記憶する前の状態をいう。「割り当て結果を確定的に記憶する」とは、前記受信可能周波数帯割り当て部により揮発性メモリ等に一時的に記憶された識別子と周波数帯の割り当て結果を、不揮発性メモリ等の電源をＯＦＦとしても消去されない記憶領域に記憶することをいう。割り当て結果が確定的に記憶された後は、利用者はチャンネル選択をするときには、例えば不揮発性メモリに格納された図１６（ａ）のテーブルを利用して識別子を選択することにより周波数帯の選択を行うことができるようになる。「割り当て結果を確定的に記憶するか否かの確認をするための表示」とは、周波数帯検索部にて検索が完了した後に表示される、「登録しますか？」といった注意画面の表示をいう。従来技術では、図１３に示すフローチャートに沿って処理が行われるため、図１４に示すように、検索完了の後には「登録しますか？」といった画面を表示し、割り当て結果を確定的に記憶するかどうかの最終的な判断は利用者がすることとなっていた。しかし、本実施形態にかかる映像受信装置の記憶部では、この「登録しますか？」という表示を行わずに、割り当て結果を確定的に記憶する。
【００２２】
（実施形態共通の処理図）図１５は実施形態１の映像受信装置の具体的な処理図を示す。図１５における映像受信装置では、ＯＳＤ（OnScreenDisplay）処理部（１５０２）に表示された設定メニューを利用者がキー入力部（１５０１）からのキー操作で選択することで周波数帯検索を行う旨の操作指示を受け付け、受け付けた操作指示は制御部（１５０３）に渡される。制御部では、受け取った操作指示に応じて、受信部（１５０４）に放送波を受信させることにより、周波数帯の検索を行わせる。受信部では、受信した放送波の周波数強度を測定し、周波数強度が一定レベル以上の周波数帯を制御部へ伝達する。制御部は周波数強度が一定レベル以上の周波数帯は受信可能な周波数帯であると判断し、その周波数帯を所定の識別子への割り当てを行う。記憶部（１５０８）は、識別子と割り当てられた周波数帯とを関連付けて記憶する。その後、利用者はキー入力部にて所定の識別子を入力することにより、識別子に関連付けられた周波数帯の放送波を受信することが可能となる。受信した放送波は信号処理部（１５０５）にて、映像信号又は音声信号に変換され、変換された映像信号は画像モニタ部（１５０６）、音声信号は音声モニタ部（１５０７）にて監視され、ディスプレイやスピーカーから出力される。なお、制御部は、これらの各処理部を統括的に制御する。図１に示す機能ブロック図と図１５に示す処理図との対応関係は、設定メニュー表示部（０１０１）はＯＳＤ処理部（１５０２）に該当し、周波数帯検索部（０１０２）は受信部（１５０４）に該当し、受信可能周波数帯割り当て部（０１０３）は制御部（１５０２）に該当し、記憶部（０１０４）は、記憶部（１５０８）に該当する。本実施形態にかかる映像受信装置は、これらの各処理部において実行されることにより実現される。なお、以降の実施形態２から４にかかる映像受信装置についても同様の処理図によって表される。
【００２３】
（実施形態１の処理の流れ）図２に示すのは、本実施形態の処理の流れの一例を表すフローチャートである。本実施形態にかかる映像受信装置では、まず設定メニューを表示する（Ｓ０２０１、設定メニュー表示ステップ）。次に、前記設定メニュー表示ステップで表示される設定メニューの選択に応じて、所定の検索ルールに従い受信可能な周波数帯の検索を行う（Ｓ０２０２、周波数帯検索ステップ）。検索が完了すると（Ｓ０２０３）、次に、前記周波数帯検索ステップにて受信可能であるとして検索された周波数帯を、利用者がチャンネルを選択するために利用する所定の識別子に割り当てる（Ｓ０２０４、受信可能周波数帯割り当てステップ）。次に、前記検索ルールに基づく検索の完了に応じて、前記割り当て結果を確定的に記憶するか否かの確認をするための表示を行わずに、割り当て結果を確定的に記憶する（Ｓ０２０５、記憶ステップ）。
【００２４】
（実施形態１の効果の簡単な説明）以上のように、本実施形態の映像受信装置及び映像受信装置の周波数帯設定方法によって、利用者が行う操作を減らし、簡便な操作方法にて周波数帯の設定作業を行うことができる。また、確認画面でのキー操作を誤り、再度チャンネル設定を最初から行わなければならないという事態の発生を無くすことができる。
【００２５】
≪実施形態２≫  （実施形態２の概念）本実施形態の映像受信装置は、実施形態１の映像受信装置を基本とし、さらに、設定メニュー表示部が設定メニューを階層的に管理し、周波数帯の検索が完了した後に上位階層の設定メニューを表示することを特徴とする。
【００２６】
（実施形態２の構成）図３に示すのは、本実施形態の映像受信装置の機能ブロックの一例を表す図である。この図にあるように、本実施形態の映像受信装置（０３００）は、実施形態１を基本として、「設定メニュー表示部」（０３０１）と、「周波数帯検索部」（０３０２）と、「受信可能周波数帯割り当て部」（０３０３）と、「記憶部」（０３０４）と、を有する。ただし、上記機能ブロックは実施形態１で説明済みであるのでその説明は省略する。そして特徴点として、「設定メニュー表示部」（０３０１）が「メニュー階層管理手段」（０３０５）と、「上位階層メニュー表示手段」（０３０６）とをさらに有する。
【００２７】
（実施形態２の構成の説明）「メニュー階層管理手段」（０３０５）は、設定メニュー表示部が有する機能であり、設定メニューの表示を階層的に管理する機能を有する。「階層的に管理」とは、各設定メニューをカテゴリー別に分け、カテゴリーごとに階層を設定して管理することをいう。ある階層の設定メニューは、同類の共通概念を持つ上位階層の設定メニューの配下に配置される。従って、上位階層の設定メニューと、その配下に配置される設定メニューの関係は、１対１又は１対多の関係を有する。例えば、前記周波数帯検索部で周波数帯検索を行うためには、いずれの放送波の周波数帯検索を行うのかを選択するメニューと、いずれの周波数帯検索方法にて検索を行うのかを選択するメニューとを階層に分けて管理することができる。一つの放送波の周波数帯について、一以上の周波数帯検索方法が存在する場合には、いずれの放送波の周波数帯検索を行うのかを選択するメニューの方が、いずれの周波数帯検索方法にて検索を行うのかを選択するメニューよりも上位の階層となる。図７に複数階層により管理された階層メニューの一例を示す。
【００２８】
「上位階層メニュー表示手段」（０３０６）は、前記検索ルールに基づく検索の完了に応じて、この検索を選択するために表示された設定メニュー階層の上位階層の設定メニューを表示する機能を有する。１つの放送波についての周波数帯検索が完了した場合には、利用者は同一の放送波について再度周波数帯検索を行うよりも、異なる放送波について周波数帯検索を行うことが予測される。そのため、１つの放送波についての周波数帯検索が完了した場合には、共通した上位概念を持つ上位階層の設定メニューを表示することにより、次にいずれの放送波について周波数帯検索を行うのかを選択させることで利用者の設定作業の効率を上げることができる。なお、上位階層メニュー表示手段により表示される上位階層メニューは、前述のような放送波を選択するメニューに限られない。例えば、全ての放送波についてのチャンネル設定が終了した場合には、放送波を選択するメニューよりも、さらに上位のメニューを表示することとしてもいい。
【００２９】
（実施形態２の処理の流れ）図４に示すのは、本実施形態の処理の流れの一例を表すフローチャートである。図４にあるように、実施形態１の場合と同様に、設定メニュー表示ステップ（Ｓ０４０１）、周波数帯検索ステップ（Ｓ０４０２）が処理される。前記周波数帯検索ステップにて検索が完了（Ｓ０４０３）すると、検索の完了に応じて、受信可能周波数帯割り当てステップ（Ｓ０４０４）、記憶ステップ（Ｓ０４０５）が処理される。そして、本実施形態における設定メニューの表示画面では、前記検索ルールに基づく検索の完了に応じて、この検索を選択するために表示された設定メニュー階層の上位階層の設定メニューを表示する（Ｓ０４０６、上位階層メニュー表示ステップ）。上位階層の設定メニュー表示ステップは、図４に示すように、記憶部による割り当て結果の記憶後に処理されてもいいし、周波数帯検索が完了した後に他の処理と並行して処理されても良い。
【００３０】
（実施形態２の効果の簡単な説明）以上のように、本実施形態の映像受信装置では、周波数帯検索が完了した後に利用者が行いうる操作を予測してメニュー表示を行うことにより、利用者の周波数帯設定作業の負担を低減することができる。
【００３１】
≪実施形態３≫  （実施形態３の概念）本実施形態の映像受信装置は、実施形態１又は２の映像受信装置を基本とし、周波数帯検索が中断した場合にこの検索を選択するために表示された設定メニューを再度表示することを特徴とする。
【００３２】
（実施形態３の構成）図５に示すのは、本実施形態の映像受信装置の機能ブロックの一例を表す図である。図５にあるように、本実施形態の映像受信装置（０５００）は、実施形態１を基本として、「設定メニュー表示部」（０５０１）と、「周波数帯検索部」（０５０２）と、「受信可能周波数帯割り当て部」（０５０３）と、「記憶部」（０５０４）と、を有し、実施形態２の機能を追加する場合には、前記設定メニュー表示部に「メニュー階層管理手段」と、「上位階層メニュー表示手段」と、を備える。ただし、上記機能ブロックは実施形態１で説明済みであるのでその説明は省略する。そして特徴点として、「設定メニュー表示部」（０５０１）が「同一メニュー再表示手段」（０５０５）をさらに有する。
【００３３】
（実施形態３の構成の説明）「同一メニュー再表示手段」（０５０５）は、前記設定メニュー表示手段が有する機能であって、前記検索ルールに基づく検索の中断に応じて、この検索を選択するために表示された設定メニューを再度表示する機能を有する。「検索の中断」とは、周波数帯検索中に、利用者から周波数帯検索をキャンセルするボタンが押されて、検索が途中で終了する場合等が該当する。利用者が周波数帯検索をキャンセルする場合とは、周波数帯検索が長時間に及ぶと予想される場合に、利用者が周波数帯検索を中断して、外部入力による映像を鑑賞する場合などが考えられる。この場合には、外部入力による映像の鑑賞が終了した後に再度放送波のチャンネル設定を行うために、周波数帯検索を行うと考えられる。また、誤って途中で周波数帯検索を中止するボタンが押された場合にも、再度周波数帯検索を行うと考えられる。これらの場合には、前記設定メニュー表示部は、この検索を選択するために表示された設定メニューを再度表示する。「この検索を選択するために表示された設定メニュー」とは、周波数帯検索を開始するために最終的に選択されたメニューである。例えば、実施形態２のように設定メニューが階層に分かれている場合には、検索が中断すると、最終的に選択されたメニューである、いずれの周波数帯検索方法にて検索を行うのかを選択するメニューを表示する。このように、周波数帯検索が中断された場合には、利用者は再度周波数帯検索を行うことが予測されるため、検索を選択するために表示された設定メニューと同一の設定メニューを表示する。
【００３４】
（実施形態３の処理の流れ）図６に示すのは、本実施形態の処理の流れの一例を表すフローチャートである。図６にあるように、実施形態１の場合と同様に、設定メニュー表示ステップ（Ｓ０６０１）、周波数帯検索ステップ（Ｓ０６０２）が処理される。前記周波数帯検索ステップにて検索が完了（Ｓ０６０３）した場合には、検索の完了に応じて、受信可能周波数帯割り当てステップ（Ｓ０６０４）、記憶ステップ（Ｓ０６０５）が処理される。一方、前記周波数検索ステップにて検索が中断した場合には、検索の中断に応じて、この検索を選択するために表示された設定メニューを再度表示する（同一メニュー再表示ステップ、Ｓ０６０６）。再度表示されたメニューにて、周波数帯検索を行う項目を選択すると、周波数帯検索が再度行われる。
【００３５】
（実施形態３の効果の簡単な説明）以上のように、本実施形態の映像受信装置では、周波数帯検索が中断された場合に利用者が行いうる操作を予測してメニュー表示を行うことにより、利用者の周波数帯設定作業の負担を低減することができる。
【００３６】
≪実施形態４≫  （実施形態４の概念）本実施形態の映像受信装置は、実施形態２又は３に記載の映像受信装置を基本とし、メニュー階層管理手段が、第一階層から第四階層に分かれているメニュー階層を管理することを特徴とする。
【００３７】
（実施形態４の構成）図７に示すのは、本実施形態の映像受信装置の設定メニュー階層の一例を表す図である。本実施形態にかかる映像受信装置は、実施形態２又は３に記載の映像受信装置を基本とし、「設定メニュー表示部」と、「周波数帯検索部」と、「受信可能周波数帯割り当て部」と、「記憶部」と、前記設定メニュー表示部に「メニュー階層管理手段」と、「上位階層メニュー表示手段」と、を備える。ただし、上記機能ブロックは実施形態１又は２で説明済みであるのでその説明は省略する。そして、本実施形態のメニュー階層管理手段は、設定メニューが階層的にカテゴリー分けされた「設定メニュー階層」（０７００）を管理する。そして、設定メニュー階層は、「第一階層」（０７０１）と、「第二階層」（０７０２）と、「第三階層」（０７０３）と、「第四階層」（０７０４）とからなり、前記周波数帯検索部により検索を実行するための設定メニューの選択は、前記第三階層の「地上アナログ設定メニュー」配下の前記第四階層の「自動設定ボタン」（０７０５）又は「地上デジタル設定メニュー」配下の前記第四階層の「自動設定ボタン」（０７０９）であることを特徴とする。
【００３８】
（実施形態４の構成の説明）「設定メニュー階層」（０７００）は、メニュー階層管理手段により管理される。設定メニュー階層は、設定メニューをカテゴリー分けし、階層付けされたものである。階層が深くなるほど、より具体的な設定メニューを選択することになる。また、利用者は、自分がどの階層の配下において設定メニューを選択しているのかを知ることにより、現在どのような設定を行っているのかを把握することができる。
【００３９】
「第一階層」（０７０１）は、設定メニュー階層の最上位に位置する階層であり、「映像調整メニュー」、「音声調整メニュー」、「省エネ設定メニュー」、「本体設定メニュー」を含む階層である。「映像調整メニュー」では、ディスプレイの設定を調節することにより、映像受信装置に表示される映像の明るさ、色の濃さ、色あい、画質などを調整することができる。「音声調整メニュー」では、スピーカーに出力される音声信号の設定を調節することにより、高音／低音の調整、映像受信装置の左右に備えられたスピーカーのバランスの調整などをすることができる。「省エネ設定メニュー」では、「無信号オフ」、「無操作オフ」設定などをすることにより省エネルギー設定をすることができる。「無信号オフ」は、放送信号が終了するなど無信号状態になると、約１５分後などに電源が切れるように設定することである。「無操作オフ」は、操作しない状態が３時間以上経過などすると、自動的に映像受信装置の電源が切れるように設定することである。「本体設定メニュー」では、地域設定メニュー、チャンネル設定メニュー、アンテナ設定メニュー、スピーカー設定メニューを選択することができる。以下に本体設定メニュー配下の第二階層の設定メニューを説明する。
【００４０】
「第二階層」（０７０２）は、本体設定メニュー配下に位置する階層であり、「地域設定メニュー」、「チャンネル設定メニュー」、「アンテナ設定メニュー」、「スピーカー設定メニュー」を含む階層である。「地域設定メニュー」では、地上デジタル放送チャンネルを受信するために、映像受信装置を使用する地域を登録することができる。地域を登録することで、その地域で受信される地上デジタル放送の周波数帯が効率的に検索することができる。「アンテナ設定メニュー」では、ＢＳデジタルアンテナ、ＣＳデジタルアンテナの向きを調整することで、アンテナレベルが最大になるように設定することができる。アンテナ設定メニューを選択すると、設定メニュー表示部にアンテナの向きに応じたアンテナレベルが表示され、表示されたアンテナレベルを確認しながらアンテナレベルが最大となるように調節することができる。「スピーカー設定メニュー」では、映像受信装置に備えられているスピーカー以外に外部スピーカーを接続した場合に、音声の出力先をどちらのスピーカーに切り替えて出力するかを設定することができる。「チャンネル設定メニュー」では、地上アナログ放送信号、地上デジタル放送信号、ＢＳデジタル放送信号、ＣＳデジタル放送信号の受信設定を行うことができる。以下にチャンネル設定メニュー配下の第三階層の設定メニューを説明する。
【００４１】
「第三階層」（０７０３）は、チャンネル設定メニュー配下に位置する階層であり、地上アナログ設定メニュー、地上デジタル設定メニュー、ＢＳデジタル設定メニュー、ＣＳデジタル設定メニューを含む階層である。各設定メニューを選択し、さらに第四階層に位置する設定ボタンを選択すると、各放送波の周波数帯検索、識別子への周波数帯の割り当て、記憶部への割り当て結果の記憶を行うことができる。
【００４２】
「第四階層」（０７０４）は、地上アナログ設定メニュー、地上デジタル設定メニュー、ＢＳデジタル設定メニュー、ＣＳデジタル設定メニュー配下に位置する階層である。地上アナログ設定メニュー配下には、自動設定ボタン、追加設定ボタン、地域番号設定ボタン、個別設定ボタンを有し、地上デジタル設定メニュー配下には、自動設定ボタン、追加設定ボタン、個別設定ボタンを有し、ＢＳデジタル設定メニュー配下には、個別設定ボタンを有し、ＣＳデジタル設定メニュー配下には、個別設定ボタンを有する。
【００４３】
「地上アナログ設定メニュー」の「自動設定ボタン」（０７０５）を選択すると、映像受信装置を使用する場所の現在の電波状態で受信できるＶＨＦとＵＨＦの周波数帯を周波数帯検索部が自動的に検索し、受信可能周波数帯割り当て部により所定の識別子に割り当てられ、この割り当て結果が記憶部に確定的に記憶される。初めて識別子に周波数帯の割り当てを行う時や、一度記憶した周波数帯の割り当てを消して新たに周波数帯の割り当てをしなおす時は「自動設定ボタン」で設定を行う。「地上アナログ設定メニュー」の「追加設定ボタン」（０７０６）を選択すると、前記自動設定ボタンなどで記憶部に記憶された識別子に割り当てた周波数帯の割り当て結果の記憶を消さずに、割り当てがされていない識別子に周波数帯を割り当てることができる。「地上アナログ設定メニュー」の「地域番号設定ボタン」（０７０７）を選択すると、前記地域設定メニューにて予め設定された地域番号により、周波数帯検索を行わずに識別子にその地域ごとに予め設定されている受信可能であると予想される周波数帯を割り当てることができる。地域番号は、例えば、図１７に示す地域番号一覧を利用して設定を行う。例えば、映像受信装置を使用する地域が「札幌」である場合には、地域番号「００１」を設定することにより、識別子１には受信チャンネル番号１の周波数帯が割り当てられる。「地上アナログ設定メニュー」の「個別設定ボタン」（０７０８）を選択すると、前記地域番号一覧表に当てはまらない地域において個別に周波数帯検索を行う場合や、記憶部に記憶されている識別子に割り当てられた周波数帯を消去する場合に、識別子ごとに周波数帯の割り当ての見直しを行うことができる。
【００４４】
「地上デジタル設定メニュー」の「自動設定ボタン」（０７０９）選択すると、映像受信装置を使用する地域で受信可能な地上デジタル放送の周波数帯を自動で検索し、識別子に受信可能な周波数帯を割り当て、その割り当て結果を記憶部に記憶することができる。なお、地上デジタル放送はＵＨＦ対応のアンテナで受信することができる。「地上デジタル設定メニュー」の「追加設定ボタン」（０７１０）を選択すると、前記地上デジタル設定メニューの自動設定ボタンにて周波数帯の設定後、新しく開始された放送チャンネルの周波数帯を追加登録することができる。この場合、既に記憶部に記憶されている周波数帯の割り当て結果は記憶されたまま残る。「地上デジタル設定メニュー」の「個別設定ボタン」（０７１１）を選択すると、記憶部に記憶された識別子と周波数帯との割り当て結果を個別に消去したり、識別子に割り当てられている周波数帯であっても、その周波数帯を選択することができないようにしたりといった設定を個別に行うことができる。
【００４５】
「ＢＳデジタル設定メニュー」の「個別設定ボタン」（０７１２）又は「ＣＳデジタル設定メニュー」の「個別設定ボタン」（０７１３）を選択すると、ＢＳデジタル放送又はＣＳデジタル放送の個別のチャンネルについて、そのチャンネルを選択することができないように設定することができる。なお、ＢＳデジタル放送又はＣＳデジタル放送は、周波数帯検索をする必要はないが、前記アンテナ設定メニューにてアンテナレベルを最大にするためにアンテナの向きを調節する必要がある。
【００４６】
（実施形態４の処理の流れ）
【００４７】
図８から図１１を用いて、本実施形態の映像受信装置において、具体的に地上アナログ信号の周波数帯設定を自動で行う場合の各階層の選択方法を以下に示す。
【００４８】
本実施形態の映像受信装置においては、まず、設定メニュー表示部として図８のように表示された第一階層の設定メニューの中から、本体設定メニューを選択する。本体メニューを選択すると、図９に示すように、本体メニュー配下の第二階層の設定メニューが表示される。次に、第二階層の設定メニューの中から、チャンネル設定メニューを選択する。チャンネル設定メニューを選択すると、図１０に示すように、チャンネル設定メニュー配下の第三階層の設定メニューが表示される。次に、第三階層の設定メニューの中から、地上アナログ設定メニューを選択する。地上アナログ設定メニューを選択すると、図１１に示すように、第四階層の設定メニューが表示される。第四階層の設定メニューの中から、自動設定ボタンを選択する。すると、周波数帯検索部において、所定の検索ルールに従い受信可能な周波数帯の検索を実行する。検索の実行中には、図１２に示すような画面を表示すると、周波数帯検索をしていることが利用者に分かりやすくなる。受信可能な周波数帯の検索が完了すると、受信可能周波数帯割り当て部にて受信可能な周波数帯が所定の識別子に割り当てられ、図１４に例示する確認画面を表示せずに割り当て結果が記憶部に確定的に記憶される。
【００４９】
検索が完了すると、設定メニュー表示部では、図１０に示す第三階層の設定メニューを表示し、異なる放送波における周波数帯検索を行うことができる。すなわち、利用者が前画面に戻す作業を行わなくても、地上アナログ信号の周波数帯検索に続いて、地上デジタル設定メニューより地上デジタル信号などの周波数帯検索を行うことが可能である。また、検索が途中で中断した場合には、利用者は設定を完了するためには再度周波数帯検索を行う必要があるので、図１１に示す第四階層の設定メニューを再度表示する。
【００５０】
（実施形態４の効果の簡単な説明）以上のように、本実施形態の映像受信装置では、設定メニューが階層的に管理されており、利用者が何を設定しようとしているのかを直感的に分かりやすくするとともに、検索の完了又は中断に応じて利用者が行いうる操作を予測して階層的に管理されたメニュー表示を行うことにより、利用者の周波数帯設定作業の負担を低減することができる。
【図面の簡単な説明】
【００５１】
【図１】実施形態１の機能ブロック図
【図２】実施形態１の処理フローを表す図
【図３】実施形態２の機能ブロック図
【図４】実施形態２の処理フローを表す図
【図５】実施形態３の機能ブロック図
【図６】実施形態３の処理フローを表す図
【図７】設定メニュー階層を表す図
【図８】第一階層の設定メニューの具体例を表す図
【図９】第二階層の設定メニューの具体例を表す図
【図１０】第三階層の設定メニューの具体例を表す図
【図１１】第四階層の設定メニューの具体例を表す図
【図１２】周波数帯検索実行中に表示する画面の一例を表す図
【図１３】従来技術におけるチャンネル設定確認画面
【図１４】従来技術におけるチャンネル設定処理フロー図
【図１５】本実施形態に共通する概念を表す図
【図１６】識別子と周波数帯の関連付けを例示する図
【図１７】地域番号一覧表を例示する図
【符号の説明】
【００５２】
０１００    映像受信装置
０１０１    設定メニュー表示部
０１０２    周波数帯検索部
０１０３    受信可能周波数帯割り当て部
０１０４    記憶部
０３０５    メニュー階層管理手段
０３０６    上位階層メニュー表示手段
０５０５    同一メニュー再表示手段
０７００    設定メニュー階層
Ｓ０２０１  設定メニュー表示ステップ
Ｓ０２０２  周波数帯検索ステップ
Ｓ０２０４  受信可能周波数帯割り当てステップ
Ｓ０２０５  記憶ステップ
Ｓ０４０６  上位階層メニュー表示ステップ
Ｓ０６０６  同一メニュー再表示ステップ
【図１】
2007036853.tif 000003
【図２】
2007036853.tif 000004
【図３】
2007036853.tif 000005
【図４】
2007036853.tif 000006
【図５】
2007036853.tif 000007
【図６】
2007036853.tif 000008
【図７】
2007036853.tif 000009
【図８】
2007036853.tif 000010
【図９】
2007036853.tif 000011
【図１０】
2007036853.tif 000012
【図１１】
2007036853.tif 000013
【図１２】
2007036853.tif 000014
【図１３】
2007036853.tif 000015
【図１４】
2007036853.tif 000016
【図１５】
2007036853.tif 000017
【図１６】
2007036853.tif 000018
【図１７】
2007036853.tif 000019